(57)【特許請求の範囲】
【請求項１】
交流電圧を直流電圧に変換する整流回路（１）と、前記整流回路（１）から供給される直流電流に残存する脈流成分を低減する第１のコンデンサー（２）と、前記第１のコンデンサー（２）から供給される直流電流のプラス側とマイナス側を同時に開閉する第１のスイッチ回路（３）と、前記第１のスイッチ回路（３）から供給される電流を蓄積する第２のコンデンサー（４）と、前記第２のコンデンサー（４）から供給される直流電流のプラス側とマイナス側を同時に開閉する第２のスイッチ回路（５）と、前記第２のスイッチ回路（５）から供給される電流を保持するとともに負荷（６）側に放出する第３のコンデンサー（９）と、ＯＮとなる時間がＯＦＦとなる時間よりも短く設定された方形波によって構成されるコントロール信号φ１、および前記コントロール信号φ１と相補的にＯＮするとともにＯＮ時間がＯＦＦ時間よりも短く設定されたコントロール信号φ２を生成するゲートコントロール回路（１２）を備え、前記コントロール信号φ１により前記第１のスイッチ回路（３）の開閉を行い、前記コントロール信号φ２により前記第２のスイッチ回路（５）の開閉を行う電源装置用絶縁回路において、
前記第１のスイッチ回路（３）は、ソース端子同士が接続された少なくとも２個のＭＯＳＦＥＴ（７）により構成された２組のスイッチ（Ｓ１，Ｓ２）を、前記第１のコンデンサー（２）と前記第２のコンデンサー（４）のプラス側の各端子間及びマイナス側の各端子間に各々接続して成り、
前記第２のスイッチ回路（５）は、ソース端子同士が接続された少なくとも２個のＭＯＳＦＥＴ（７）により構成された２組のスイッチ（Ｓ３，Ｓ４）を、前記第２のコンデンサー（４）と前記第３のコンデンサー（９）のプラス側の各端子間及びマイナス側の各端子間に各々接続して成り、
前記第１のスイッチ回路（３）の前記各スイッチ（Ｓ１，Ｓ２）の各ＭＯＳＦＥＴ（７）のゲート端子には前記ゲートコントロール回路（１２）の前記コントロール信号φ１が入力し、前記第２のスイッチ回路（５）の前記各スイッチ（Ｓ３，Ｓ４）の各ＭＯＳＦＥＴ（７）のゲート端子には前記ゲートコントロール回路（１２）の前記コントロール信号φ２が入力して成ることを特徴とする電源装置用絶縁回路。
【請求項２】
交流電圧を直流電圧に変換する整流回路（１）と、前記整流回路（１）から供給される直流電流に残存する脈流成分を低減する第１のコンデンサー（２）と、前記第１のコンデンサー（２）から供給される直流電流のプラス側とマイナス側を同時に開閉する第１のスイッチ回路（３）と、前記第１のスイッチ回路（３）から供給される電流を蓄積する第２のコンデンサー（４）と、前記第２のコンデンサー（４）から供給される直流電流のプラス側とマイナス側を同時に開閉する第２のスイッチ回路（５）と、前記第２のスイッチ回路（５）から供給される電流を保持するとともに負荷（６）側に放出する第３のコンデンサー（９）と、ＯＮとなる時間がＯＦＦとなる時間よりも短く設定された方形波によって構成されるコントロール信号φ１、および前記コントロール信号φ１と相補的にＯＮするとともにＯＮ時間がＯＦＦ時間よりも短く設定されたコントロール信号φ２を生成するゲートコントロール回路（１２）を備え、前記コントロール信号φ１により前記第１のスイッチ回路（３）の開閉を行い、前記コントロール信号φ２により前記第２のスイッチ回路（５）の開閉を行う電源装置用絶縁回路において、
前記第１のスイッチ回路（３）のプラス側のスイッチ（Ｓ１）は、少なくとも１個の阻止ダイオード（８）のカソード端子と少なくとも１個のＭＯＳＦＥＴ（７）のソース端子を接続して構成され、前記スイッチ（Ｓ１）を、前記第１のコンデンサー（２）と前記第２のコンデンサー（４）のプラス側の各端子間に設け、前記スイッチ（Ｓ１）の前記ＭＯＳＦＥＴ（７）のドレイン端子を前記第２のコンデンサー（４）のプラス側の端子に接続し、前記阻止ダイオード（８）のアノード端子を前記第１のコンデンサー（２）のプラス側の端子に接続して成り、
前記第１のスイッチ回路（３）のマイナス側のスイッチ（Ｓ２）は、少なくとも１個の阻止ダイオード（８）のアノード端子と少なくとも１個のＭＯＳＦＥＴ（７）のソース端子を接続して構成され、前記スイッチ（Ｓ２）を、前記第１のコンデンサー（２）と前記第２のコンデンサー（４）のマイナス側の各端子間に設け、前記スイッチ（Ｓ２）の前記ＭＯＳＦＥＴ（７）のドレイン端子を前記第２のコンデンサー（４）のマイナス側の端子に接続し、前記阻止ダイオード（８）のカソード端子を前記第１のコンデンサー（２）のマイナス側の端子に接続して成り、
前記第２のスイッチ回路（５）のプラス側のスイッチ（Ｓ３）は、少なくとも１個の阻止ダイオード（８）のカソード端子と少なくとも１個のＭＯＳＦＥＴ（７）のソース端子を接続して構成され、前記スイッチ（Ｓ３）を、前記第２のコンデンサー（４）と前記第３のコンデンサー（９）のプラス側の各端子間に設け、前記スイッチ（Ｓ３）の前記ＭＯＳＦＥＴ（７）のドレインを前記第３のコンデンサー（９）のプラス側の端子に接続し、前記阻止ダイオード（８）のアノード端子を前記第２のコンデンサー（４）のプラス側の端子に接続して成り、
前記第２のスイッチ回路（５）のマイナス側のスイッチ（Ｓ４）は、少なくとも１個の阻止ダイオード（８）のアノード端子と少なくとも１個のＭＯＳＦＥＴ（７）のソース端子を接続して構成され、前記スイッチ（Ｓ４）を、前記第２のコンデンサー（４）と前記第３のコンデンサー（９）のマイナス側の各端子間に設け、前記スイッチ（Ｓ４）の前記ＭＯＳＦＥＴ（７）のドレイン端子を前記第３のコンデンサー（９）のマイナス側の端子に接続し、前記阻止ダイオード（８）のカソード端子を前記第２のコンデンサー（４）のマイナス側の端子に接続して成り、
前記第１のスイッチ回路（３）の前記各スイッチ（Ｓ１，Ｓ２）の各ＭＯＳＦＥＴ（７）のゲート端子には前記ゲートコントロール回路（１２）の前記コントロール信号φ１が入力し、前記第２のスイッチ回路（５）の前記各スイッチ（Ｓ３，Ｓ４）の各ＭＯＳＦＥＴ（７）のゲート端子には前記ゲートコントロール回路（１２）の前記コントロール信号φ２が入力して成ることを特徴とする電源装置用絶縁回路。
【発明の詳細な説明】
【技術分野】
【０００１】
本発明は、交流電圧を直流電圧に変換する際に交流電源側と負荷側を電気的に絶縁するために用いられる電源装置用絶縁回路に関する。
【背景技術】
【０００２】
従来、電気回路の入力と出力の間を電気的に絶縁する方法としてトランスが用いられていた。トランスは鉄系合金等を材料とする磁気コアに入力用の1次巻線と出力用の２次巻線とが電気的に非接触に巻かれた構造をしており、入力用の1次巻線に交流電圧を印加すると磁気誘導現象により出力用の２次巻線に交流電圧が発生する性質を持つ。
【特許文献１】特開平６−１１３５３９号公報
【発明の開示】
【発明が解決しようとする課題】
【０００３】
しかしながら、従来技術では次に示すような問題があった。即ち、主要部品であるトランスが大きな容積を占め、且つ重量も大きいことから、電子機器の小型軽量化が困難である。さらに、トランスを用いた絶縁回路は磁気誘導現象を利用して電力を伝えているが磁気は空中に漏れ易いという欠点を有し、このため前記トランスは電磁波ノイズを空中に向けて発生する。前記電磁波ノイズは、他の隣接する回路に誤動作を引き起こしたり、人体に有害であることが知られており、これを防止するために従来技術ではトランスを磁性筐体で完全にシールドする必要がある。これらのことは絶縁回路の小型、軽量化およびコストダウンに大きな障害となる
【０００４】
本発明は上記の問題を解決し、小型軽量で、有害な電磁波ノイズを発生しない安価な電源装置用絶縁回路を提供する事を目的とする。
【課題を解決するための手段】
【０００５】
上記課題を解決する手段として、請求項１記載の発明は、交流電圧を直流電圧に変換する整流回路（１）と、前記整流回路（１）から供給される直流電流に残存する脈流成分を低減する第１のコンデンサー（２）と、前記第１のコンデンサー（２）から供給される直流電流のプラス側とマイナス側を同時に開閉する第１のスイッチ回路（３）と、前記第１のスイッチ回路（３）から供給される電流を蓄積する第２のコンデンサー（４）と、前記第２のコンデンサー（４）から供給される直流電流のプラス側とマイナス側を同時に開閉する第２のスイッチ回路（５）と、前記第２のスイッチ回路（５）から供給される電流を保持するあるいは負荷（６）側に放出する第３のコンデンサー（９）と、ＯＮとなる時間がＯＦＦとなる時間よりも短く設定された方形波によって構成されるコントロール信号φ１および前記コントロール信号φ１と１８０度の相進関係を成すコントロール信号φ２を生成するゲートコントロール回路（１２）を備え、前記コントロール信号φ１に対応して前記第１のスイッチ回路（３）の開閉を行い、前記コントロール信号φ２に対応して前記第２のスイッチ回路（５）の開閉を行う電源装置用絶縁回路であって、ソース端子同士が接続された少なくとも２個のＭＯＳＦＥＴ（７）により、前記第１のスイッチ回路（３）のプラス側のスイッチとマイナス側のスイッチおよび前記第２のスイッチ回路（５）のプラス側のスイッチとマイナス側のスイッチをそれぞれ構成したことを特徴とする電源装置用絶縁回路である。
【０００６】
また請求項２記載の発明は、少なくとも１個の阻止ダイオード（８）のカソード端子と少なくとも１個のＭＯＳＦＥＴ（７）のソース端子を接続して、前記第１のスイッチ回路（３）のプラス側のスイッチと前記第２のスイッチ回路（５）のプラス側のスイッチをそれぞれ構成し、且つ、少なくとも１個の阻止ダイオード（８）のアノード端子と少なくとも１個のＭＯＳＦＥＴ（７）のソース端子を接続して、前記第１のスイッチ回路（３）のマイナス側のスイッチと前記第２のスイッチ回路（５）のマイナス側のスイッチをそれぞれ構成したことを特徴とする電源装置用絶縁回路である。
【発明の効果】
【０００７】
本発明によれば、大きな容積を占める電源トランスを使用することなく交流電圧を直流電圧に変換し、且つ交流電源側と負荷側を電気的に絶縁することができ、小型で軽量且つ安価である。さらに、磁気誘導現象を全く利用しないで電力を伝えているので、電磁波ノイズの発生がなく、従って他の隣接する回路に誤動作を引き起こすことがなく、人体にも無害である。さらに、本発明による絶縁回路を磁性筐体で完全にシールドする必要がないので、小型、軽量化およびコストダウンに大きな効果を有する絶縁回路を提供する事ができる。
【発明を実施するための最良の形態】
【０００８】
以下、本発明の実施の形態について説明する。図において、交流電源（１０）は本発明による電源装置用絶縁回路の電力供給源であり、例えば商用電源などが使用される。前記商用電源の電圧は、日本ではＡＣ１００Ｖ前後、アメリカ合衆国ではＡＣ１２０Ｖ前後、ヨーロッパ各国ではＡＣ２２０〜２４０Ｖ程度であり、その他の国々の電圧もこれらの範囲内であり、いずれも本発明による絶縁回路の電力供給源として使用可能である。前記交流電源（１０）により発生した交流電流は整流回路（１）に入力され交流電流から直流電流に変換される。前記整流回路（１）は図１に示すように４本の整流ダイオード（１１）で構成されたダイオードブリッジを用いると良い。
【０００９】
整流回路（１）により変換された直流電流には脈流成分が残存しており低周波ノイズの原因となるため、これを低減するために第１のコンデンサー（２）が設けられている。前記第１のコンデンサー（２）の材質は、例えばアルミ電解コンデンサーなどを使用すればよく、その容量値は大きいほど低周波ノイズを低減する効果が大きいが、実用的には数百μＦから数千μＦの間に選ぶとよい。
【００１０】
前記第１のコンデンサー（２）から供給された直流電流は、第１のスイッチ回路（３）に入力される。前記第１のスイッチ回路（３）はプラス側にスイッチＳ１とマイナス側にスイッチＳ２の２つのスイッチを備えており、これら２つのスイッチは、ゲートコントロール回路（１２）によって生成された、ＯＮとなる時間がＯＦＦとなる時間よりも短く設定された方形波によって構成されるコントロール信号φ１に対応して同時に開閉される。
【００１１】
次に、前記第１のスイッチ回路（３）の出力には第２のコンデンサー（４）が接続されており、前記２つのスイッチＳ１とＳ２が前記コントロール信号φ１により閉じられている間のみ前記第２のコンデンサー（４）が充電される。ここで、前記第２のコンデンサー（４）の材質は、例えばアルミ電解コンデンサーなどを使用すればよく、その容量値は大きいほど電力の通過効率が向上するが、実用的には数百μＦから数千μＦの間に選ぶとよい。
【００１２】
さらに、前期第２のコンデンサー（４）には第２のスイッチ回路（５）が接続されており、前記第２のスイッチ回路（５）はプラス側にスイッチＳ３とマイナス側にスイッチＳ４の２つのスイッチを備えており、これら２つのスイッチは、前記コントロール信号φ１と１８０度の相進関係を成すコントロール信号φ２に対応して同時に開閉される。
【００１３】
前記第２のスイッチ回路（５）の出力には第３のコンデンサー（９）と負荷（６）が並列接続されており、前期２つのスイッチＳ３とＳ４が前記コントロール信号φ２により閉じられている間のみ前記第３のコンデンサー（９）と負荷（６）に電流が供給される。ここで、前記第３のコンデンサー（９）の材質は、例えばアルミ電解コンデンサーなどを使用すればよく、その容量値は大きいほど負荷（６）に流れる電流変動が少なくなるが、実用的には数百μＦから数千μＦの間に選ぶとよい。また、負荷（６）は、例えばテレビやラジオなどの家庭用電気製品をはじめとして、パソコン、電話、ファクシミリなどの情報機器、あるいはモーター、電磁弁、リレーなどの動力機器の直流電源として幅広く供用される。
【００１４】
前記スイッチＳ１、Ｓ２、Ｓ３、Ｓ４を実現する方法として、図１に示すように前記各スイッチのそれぞれをソース端子同士が接続された少なくとも２個のＭＯＳＦＥＴ（７）によって置き換えるのが最も効果的である。この理由は、前記各ＭＯＳＦＥＴ（７）のゲート端子にコントロール信号φ１またはφ２を入力することにより、これに対応して前記各ＭＯＳＦＥＴ（７）のソース端子とドレイン端子間を流れる双方向の電流を高速でＯＮ、ＯＦＦすることができるからである。前記ＭＯＳＦＥＴ（７）の性能として、ＯＮ抵抗が小さく、ソース・ドレイン端子間電気耐圧が大きく、スイッチング速度が速いパワーＭＯＳＦＥＴを選択することにより電力の通過効率を向上させることができる。
【００１５】
なお図１では、前記各スイッチをそれぞれ２個のＭＯＳＦＥＴで置き換えているが、電流容量や電気耐圧を増やす必要がある場合には複数個のＭＯＳＦＥＴを並列または直列接続して使用すると良い。
【００１６】
ところで、前記図１に示した実施例では少なくとも合計８個のＭＯＳＦＥＴが必要となるが、ＭＯＳＦＥＴは比較的高価であるためコスト高になる可能性がある。
【００１７】
そこで図５に示すように、前記プラス側のスイッチＳ１とＳ３を阻止ダイオード（８）のカソード端子とＭＯＳＦＥＴ（７）のソース端子を接続してそれぞれ構成し、前記マイナス側のスイッチＳ２とＳ４を阻止ダイオード（８）のアノード端子とＭＯＳＦＥＴ（７）のソース端子を接続してそれぞれ構成することによりＭＯＳＦＥＴ（７）の数を少なくとも４個に減らすことができ、従ってコスト高を抑えることができる。前記阻止ダイオード（８）の性能として、順方向降下電圧が小さく、逆方向電気耐圧の大きい阻止ダイオードを選択することにより電力の通過効率を向上させることができる。また、阻止ダイオード（８）はＭＯＳＦＥＴ（７）に比べて安価なだけでなく形状も小型なために、本発明による絶縁回路の全体形状の小型化にも寄与する。
【００１８】
なお前記図５に示した実施例では、前記各スイッチをそれぞれ１個の阻止ダイオード（８）と１個のＭＯＳＦＥＴで置き換えているが、電流容量や電気耐圧を増やす必要がある場合には複数個の阻止ダイオードおよびＭＯＳＦＥＴを並列または直列接続して使用すると良い。
【００１９】
図６にゲートコントロール回路（１２）によって生成されたコントロール信号φ１とφ２のタイムチャートを示す。コントロール信号φ１とφ２はそれぞれ連続しており、繰り返し周期Ｔの間にそれぞれ１回ずつＯＮするが、φ１とφ２は１８０度の相進関係を成しておりφ１がＯＮの間はφ２がＯＦＦ、φ１がＯＦＦの間はφ２がＯＮとなる。なお、ここで１８０度の相進関係を成しているとは、互いに相補的にＯＮ／ＯＦＦすることで、φ１とφ２の立ち上がり波形部がタイムチャート上でＴ／２ずれているという意味である。
【００２０】
また、コントロール信号φ１およびφ２はＯＮとなる時間がＯＦＦとなる時間よりも短く設定されている。つまり図６に示すようにφ１がＯＦＦとなった瞬間からφ２がＯＮとなるまでの時間とφ２がＯＦＦとなった瞬間からφ１がＯＮとなるまでの時間はパルス幅伸縮回路によってΔＴの間隔が開くように設定されており、φ１とφ２が同時にＯＮとなることが決してないように配慮されている。この理由は、もしφ１とφ２が一瞬でも同時にＯＮすることがあった場合、前記各スイッチの全てが閉じた状態となるため、前記交流電源（１０）と前記負荷（６）が電気的に接続されてしまうことになり、本発明の主旨である絶縁回路の目的を達成できなくなるからである。
【００２１】
ＴとΔＴの値は小さいほど負荷（６）に流れる電流変動が少なくなるが、あまりＴとΔＴの値を小さくするといわゆるスイッチングロスが増大し、電力の通過効率を悪化させるので、駆動されるスイッチＳ１、Ｓ２、Ｓ３、Ｓ４の応答速度に合わせて実用的な範囲内で選択すると良い。具体的には、Ｔの値は０．００１秒（１ｋＨｚ）前後に選べば良く、またΔＴはＴの１／１０程度に選べば良い。
【００２２】
コントロール信号φ１およびφ２は、例えば次のようにして生成される。即ち、図１に示すようにゲートコントロール回路（１２）の内部にある発振回路（１９）により生成された基本方形波を２つに分け、一方をそのまま第１のパルス幅伸縮回路（１４）に通すことにより前記ΔＴを付加し、コントロール信号φ１として生成される。また、他方をインバーター（１３）により反転させた後、第２のパルス幅伸縮回路（２０）に通すことにより前記ΔＴを付加し、コントロール信号φ２として生成される。無論、前記コントロール信号φ１とφ２を生成する方法はこれに限らず、他の従来技術による回路を組み合わせて用いても良い。
【００２３】
次に、本発明による電源装置用絶縁回路の実施例の動作について説明する。
【００２４】
図２において第１のコンデンサー（２）には既に交流電源（１０）から整流回路（１）を経て直流電流が供給されており、前記第１のコンデンサー（２）は満充電の状態にあるとする。いま、コントロール信号φ１がＯＮ、φ２がＯＦＦの時、スイッチＳ１、Ｓ２が閉じた状態になり、Ｓ３、Ｓ４が開いた状態になる。この時、前記第１のコンデンサー（２）、スイッチＳ１、第２のコンデンサー（４）、スイッチＳ２に渡る第１の閉回路（１５）が形成され、前記第１のコンデンサー（２）から第２のコンデンサー（４）に充電電流ｉ１が流れる。これにより前記第２のコンデンサー（４）の両端電圧は前記第１のコンデンサー（２）のそれと同じ値にまで上昇する。
【００２５】
次にコントロール信号φ１がＯＦＦ、φ２がＯＮの時、スイッチＳ１、Ｓ２が開いた状態になり、Ｓ３、Ｓ４が閉じた状態になる。この時、図３に示すように前記第１の閉回路（１５）は消滅し、新たに第２のコンデンサー（４）、スイッチＳ３、第３のコンデンサー（９）、スイッチＳ４に渡る第２の閉回路（１６）と、第２のコンデンサー（４）、スイッチＳ３、負荷（６）、スイッチＳ４に渡る第３の閉回路（１７）が形成され、前記第２のコンデンサー（４）から前記第３のコンデンサー（９）に電流ｉ２が流れ、また負荷（６）に電流ｉ３が流れる。これにより前記第３のコンデンサー（９）は充電され、また負荷（６）は、前記流れる電流ｉ３に対応して仕事をすることができる。
【００２６】
この後再びスイッチＳ１、Ｓ２が閉じた状態になり、Ｓ３、Ｓ４が開いた状態になると図４に示すように、再び前記第１の閉回路（１５）が形成され、充電電流ｉ１によって第２のコンデンサー（４）が充電される。また第３のコンデンサー（９）と負荷（６）の間に形成された第４の閉回路（１８）によって、第３のコンデンサー（９）から負荷（６）に放電電流ｉ４が流れ続ける。これにより、Ｓ３、Ｓ４の開閉にかかわらず、常に負荷（６）に電流が流れることになり、安定した仕事をすることが可能となる。
【００２７】
コントロール信号φ１およびφ２は連続しているので、以上の動作を繰り返すことになり、交流電源（１０）により発生した交流電力は直流電力に変換されつつ負荷（６）に連続して伝えられる。
【００２８】
ここで注目すべきことは、前記スイッチＳ１、Ｓ２が閉じた状態にあるときは前記スイッチＳ３、Ｓ４が開いた状態にあり、また、前記スイッチＳ１、Ｓ２が開いた状態にあるときは前記スイッチＳ３、Ｓ４が閉じた状態にあり、Ｓ１、Ｓ２の組とＳ３、Ｓ４の組は同時に閉じた状態になることは決してないということである。
【００２９】
即ち、前記スイッチＳ１、Ｓ２の左側にある交流電源（１０）と前記スイッチＳ３、Ｓ４の右側にある負荷（６）はいかなる場合も電気的に接続されることが無く、常に絶縁された状態にある。従って、負荷（６）のマイナス側を大地に接地することができ、あるいは負荷（６）のマイナス側に触れても感電する危険が無いため、他の電気機器と自由に接続することができるようになり、使用範囲が飛躍的に広がる。これが本発明の最も重要な主旨である。
【００３０】
以上の説明から明らかなように、本発明による電源装置用絶縁回路は、大きな容積を占める電源トランスを使用することなく、交流電圧を直流電圧に変換し、且つ交流電源側と負荷側を電気的に絶縁することができる。また、磁気誘導現象を全く利用しないで電力を伝えているので電磁波ノイズの発生がなく、従って他の隣接する回路に誤動作を引き起こすことがなく、人体にも無害である。さらに、本発明による電源装置用絶縁回路を用いた電源装置は、磁性筐体で完全にシールドする必要がないので、小型、軽量化およびコストダウンに大きな効果があり、小型で軽量な電源装置を安価に提供することができる。
【図面の簡単な説明】
【００３１】
【図１】本発明による電源装置用絶縁回路の第１の実施例を示す回路図である。
【図２】本発明による電源装置用絶縁回路の第１の実施例における電流ｉ１の流れを示す回路図である。
【図３】本発明による電源装置用絶縁回路の第１の実施例における電流ｉ２および電流ｉ３の流れを示す回路図である。
【図４】本発明による電源装置用絶縁回路の第１の実施例における電流ｉ１および電流ｉ４の流れを示す回路図である。
【図５】本発明による電源装置用絶縁回路の第２の実施例を示す回路図である。
【図６】本発明による電源装置用絶縁回路に使用されるゲートコントロール信号のタイムチャートを示す図である。
【符号の説明】
【００３２】
１    電源装置用整流回路
２    第１のコンデンサー
３    第１のスイッチ回路
４    第２のコンデンサー
５    第２のスイッチ回路
６    負荷
７    ＭＯＳＦＥＴ
８    阻止ダイオード
９    第３のコンデンサー
１０  交流電源
１１  整流ダイオード
１２  ゲートコントロール回路
１３  インバーター
１４  第１のパルス幅伸縮回路
１５  第１の閉回路
１６  第２の閉回路
１７  第３の閉回路
１８  第４の閉回路
１９  発振回路
２０  第２のパルス幅伸縮回路
【要約】
【課題】小型軽量で、有害な電磁波ノイズを発生しない安価な電源装置用絶縁回路を提供する。
【解決手段】整流回路（１）と、第１のコンデンサー（２）と、直流電流のプラス側とマイナス側を同時に開閉する第１のスイッチ回路（３）と、電流を蓄積するあるいは電流を負荷（６）側に放出する第２のコンデンサー（４）と、直流電圧のプラス側とマイナス側を同時に開閉する第２のスイッチ回路（５）を備え、連続する方形波によって構成されるコントロール信号φ１により前記第１のスイッチ回路（３）の開閉を行い、前記コントロール信号φ１と１８０度の相進関係を成すコントロール信号φ２により前記第２のスイッチ回路（５）の開閉を行う。
【選択図】  図１【図１】
0003595329.tif 000002
【図２】
0003595329.tif 000003
【図３】
0003595329.tif 000004
【図４】
0003595329.tif 000005
【図５】
0003595329.tif 000006
【図６】
0003595329.tif 000007